(57)【要約】  本発明は、自動車のためのワイピング装置のための液体を供給および／または分配するためのシステム（９）のための構成要素（１０）であって、壁部によって画定され、その内部に液体が収納可能である空間を備え、前記壁部は、樹脂の熱伝導性材料から形成されている。本発明は、自動車のために使用可能である。
2015500769.tif 000002
【特許請求の範囲】
【請求項１】
自動車のためのワイピング設備の液体供給および／または分配システム（９）の構成要素（１０）であって、
その内部に液体が広がることが可能である、壁部（４３、４５、５２、５８、６０〜６２）によって画成された空間（４４、４６、５３、５４、５９、６３）を備え、
前記壁部（４３、４５、５２、５８、６０〜６２）は、熱伝導性樹脂材料から形成されている
ことを特徴とする構成要素。
【請求項２】
前記樹脂材料は、０．０００１９ｍ２／ｓ以上の熱拡散率を示す
ことを特徴とする請求項１に記載の構成要素。
【請求項３】
液体保持タンク（１１）を形成しており、
前記壁部（４６）は、液体で前記空間（４６）を満たすための少なくとも１つの開口部（４７）と、前記供給および／または分配システム（９）において前記液体を循環するためのポンプ（１２）を受けるのに適切な少なくとも１つの穴部（５０）と、を有する
ことを特徴とする請求項１または２に記載の構成要素。
【請求項４】
前記供給および／または分配システム（９）において前記液体を循環するためのポンプ（１２）を形成している
ことを特徴とする請求項１または２に記載の構成要素。
【請求項５】
前記液体を循環するためのポンプ（１２）と前記液体供給および／または分配システム（９）の少なくとも１つの構成である液体伝送および加熱チューブ（１８）との間の流体継ぎ手（１３）を形成している
ことを特徴とする請求項１または２に記載の構成要素。
【請求項６】
そこで前記空間（５９）が少なくとも１つの液体入口（２１、２２）および少なくとも１つの液体出口（２３、２４、２５、２６）と連通している結合装置（１４）を形成しており、
前記空間（５９）は、少なくとも１つの逆止弁を収容しており、
好ましくは、前記空間（５９）は、少なくとも２つの液体出口と連通している
ことを特徴とする請求項１または２に記載の構成要素。
【請求項７】
前記結合装置（１４、１４ａ、１４ｂ）のための支持部（１６）を形成しており、
前記支持部（１６）は、前記供給および／または分配システム（９）の少なくとも１つの構成である加熱要素（２７、２８、２９）の電力供給コネクタ（３４、３６）を固定するのに適切な少なくとも１つの固定装置（６４）を有する
ことを特徴とする請求項６に記載の構成要素。
【請求項８】
前記支持部（１６）および少なくとも１つの結合装置（１４、１４ａ、１４ｂ）は、単一ピースの部分を形成している
ことを特徴とする請求項７に記載の構成要素。
【請求項９】
前記供給および／または分配装置（９）の少なくとも１つの構成である液体伝送および加熱ダクト（１５、１５ａ、１５ｂ）と前記ワインピングシステムのワイパー（６）との間の設置された流体コネクタ（１７）を形成している
ことを特徴とする請求項１または２に記載の構成要素。
【請求項１０】
前記流体コネクタ（１７）は、前記空間と加熱要素（２７、２８、２９）を受けるのに適切な接触領域（６５）とを形成している少なくとも１つの液体循環流路（５３、５２）を有し、
好ましくは、前記流体コネクタは、少なくとも２つの液体循環流路を有する
ことを特徴とする請求項９に記載の構成要素。
【請求項１１】
自動車のためのワイピング設備の液体供給および／または分配システム（９）であって、
請求項１〜１０のいずれかに記載の少なくとも１つの構成要素（１０）
を備えたことを特徴とするシステム。
【発明の詳細な説明】
【技術分野】
【０００１】
本発明の技術分野は、自動車のための窓洗浄液供給および／または分配システムの技術分野である。そのようなシステムは、車両の風防ワイピング設備を伴う。
【背景技術】
【０００２】
自動車には、通常、風防のワイピングおよび洗浄に対処するとともに運転者が有する彼または彼女の周囲の視界が妨げられることを防止するためのワインピング設備および洗浄システムが設けられている。これらのワインピング設備は、それらの端部に適合された細長ワイパーと一緒に角度往復移動を行う複数のアームを有しており、それは、同様に、樹脂材料のスクレイパーブレードを支持している。これらのブレードは、風防に対して擦れるともに水を払いのけて当該水を運転者の視野の外側に連れて行く。ワイパーは、機械的コネクタとアダプタとから構成されたアセンブリによって、風防の回転アームに取り付けられている。コネクタは、ワイパーの構造に直接固定される部分であり、アダプタは、コネクタが風防ワイパーのアームに固定されることを可能にする中間部分である。これら２つの部分は、それらの相対的な回転を可能にする横断軸によって互いにリンクされている。
【０００３】
洗浄システムは、車両に位置決めされたタンクから送られるとともに液体の良好な分配のために通常ボンネット上、風防ベイグリル（ｂａｙ  ｇｒｉｌｌ）上、または風防ワイパー自身上に位置決めされたノズルによって風防に向けて噴出される風防洗浄液を供給するための装置を有している。ワイパー上に配置されたノズルの場合には、風防洗浄液は、それらの間で分配される前に、風防ワイパーのアーム上に固定されるとともにコネクタレベルにおいてワイパー分配システムに結合されたパイプによって、送られる。したがって、コネクタは、漏れ止めリンクを介して、前記パイプの端部ピースを受けるのに適切な開口部を含んでいる。
【０００４】
風防洗浄液の温度が低すぎる時、例えば、５℃未満の時、風防洗浄液は加熱される。このために、風防洗浄制御部が、通常ハンドルの傍に配置された制御レバーによって駆動されるとともに他の事の間に風防ワイパーの作動を制御する時、伝送ダクトは、ポンプによってタンクから取り出される風防洗浄液を再加熱する。
【０００５】
結合要素は、液体伝送ダクト部分の間に適合されている。そのような結合要素は、加熱されず、したがって、冷たい領域を形成する可能性があり、そこでは、液体が凍結する。この状況は、この凍結が、液体供給および／または分配システムのアクセスにとって困難である別々の点において、洗浄機能を全体的に利用不能にし得るため、不都合である。
【０００６】
文献ＷＯ２００１／０３２６７９は、電気加熱手段を結合要素に設置することにより、この問題に対する解決策を提案している。ここで、この加熱手段の設置は、技術的問題を満足に解決しない。実際、加熱手段が解凍されるべきダクトから離れている距離は、相対的に大きく、これにより、結合要素の流路を解凍するために必要な時間は、特に車両が高性能車両の時、車両のユーザによって期待されるサービスのレベルに適合しない。これは、第１の欠点を示している。
【０００７】
さらに、加熱要素の点設置は、流路の解凍に成功するために大きな電力を要求する。そのような電力は、それがそのような電力のために寸法決められた電気ネットワークを必要とするため、問題がある。これは、第２の欠点を形成する。
【発明の概要】
【０００８】
本発明は、当該状況を改善することを提案する。
【０００９】
したがって、本発明の目的は、特に熱量を伝導するとともにそれを構成要素に形成された領域に存在する液体へ伝送する樹脂材料で、主にダクトの上流、ダクトの下流、またはダクトの間に位置決めされた液体供給および／または分配システムの構成要素を製造することにより、前記された欠点を解決することであり、この領域は、特に液体が包含可能または循環可能である保存領域または循環領域を形成する。
【００１０】
したがって、本発明の主題は、自動車のためのワイピング設備の液体供給および／または分配システムの構成要素であって、その内部に液体が広がることが可能である、壁部によって画成された空間を備え、前記壁部は、熱伝導性樹脂材料から形成されている。「樹脂材料」は、合成高分子材料を意味すると理解されるべきである。
【００１１】
本発明の第１の特徴によれば、前記樹脂材料は、０．０００１９ｍ２／ｓ以上の熱拡散率を示す。
【００１２】
本発明の第２の特徴によれば、前記樹脂材料は、特にナノファイバーで帯電された、荷電性ポリエチレンである。
【００１３】
任意には、熱伝導性樹脂材料は、また、電気的に絶縁性である。
【００１４】
本発明の第１の変形例によれば、前記構成要素は、液体保持タンクであり、当該タンクの前記壁部は、液体で前記空間を満たすための少なくとも１つの開口部と、前記供給および／または分配システムにおいて前記液体を循環するためのポンプを受けるのに適切な少なくとも１つの穴部と、を有する。そのようなタンクは、風防洗浄機能の複数の使用において使用される大量の液体を保持する容器である。このタンクは、凍結する可能性があるため、本発明は、タンク内に存在する液体のストックを構成する容積全体に熱量を分散させるように熱伝導性樹脂でこのタンクの壁部を製造することを提案する。
【００１５】
第２の代わりのまたは補完する変形例によれば、前記構成要素は、前記供給および／または分配システムにおいて前記液体を循環するためのポンプである。そのようなポンプは、電気モータまたはタービンを収容する本体を有し、そして、ポンプの本体は、熱伝導性樹脂材料から形成されている。有利には、タービンを囲む本体の部分のみがそのような材料から形成されている。
【００１６】
先行する変形例の代わりのまたはそれを補完する、第３の変形例によれば、前記構成要素は、前記液体を循環するためのポンプと前記液体供給および／または分配システムの少なくとも１つの構成である液体伝送および加熱チューブとの間の流体継ぎ手である。そのようなチューブは、少なくとも１つの加熱要素を有し、この加熱要素は、そこから流体継ぎ手が継ぎ手の壁部により画成される単一の空間へ流出される熱量を引き出す熱源を形成しており、この空間は、液体循環流路を形成している。
【００１７】
本発明の先行する変形例の代わりのまたはそれを補完する、第４の変形例によれば、前記構成要素は、そこで前記空間が少なくとも１つの液体入口および少なくとも１つの液体出口と連通している結合装置を形成しており、前記空間は、少なくとも１つの逆止弁を収容している。有利には、前記空間は、チューブまたはダクトに形成された２つのパイプを供給するように少なくとも２つの液体出口と連通している。そのような結合装置は、循環ポンプに結合されたチューブとワイパーに結合された少なくとも１つの液体伝送および加熱ダクトとの間に位置決めされた中間部分である。したがって、そのような結合装置は、車両のボンネットの下に位置決めされたシステムの第１部分と車両の外側に位置決めされた第２部分との間の移行を保証し、第２部分は、ワイピング設備のアームを収容している。
【００１８】
先行する変形例の代わりのまたはそれを補完する、第５の変形例によれば、前記構成要素は、前記結合装置のための支持部であり、前記支持部は、前記供給および／または分配システムの構成である加熱要素の電力供給コネクタを固定するのに適切な少なくとも１つの固定装置を有する。実際、結合装置の内部流路を取り囲む表面領域より大きい表面領域にわたって熱量を分散させることが有利であり得る。このような理由で、本発明は、液体供給および／または分配システムのまたはワイピング設備のある構成の構成要素を受ける支持部をカバーしており、この支持部は、熱伝導性樹脂材料から形成されている。
【００１９】
有利には、前記支持部および少なくとも１つの結合装置は、単一ピースの部分を形成しており、固定装置は、例えば、支持部と同じ材料から形成されている。また、有利には、結合装置は、支持部と同じ材料から形成されている。
【００２０】
先行する変形例の代わりのまたはそれを補完する、第６の変形例によれば、前記構成要素は、前記供給および／または分配装置の少なくとも１つの構成である液体伝送および加熱ダクトと前記ワインピングシステムのワイパーとの間の設置された流体コネクタを形成している。そのような流体コネクタは、ワイパー取り付け部分に装着されており、流体コネクタの端部に漏れ止め方式で適合された１つまたは２つ以上のダクトを介して液体を受ける。
【００２１】
有利には、前記流体コネクタは、前記空間と加熱要素を受けるのに適切な接触領域とを形成している少なくとも１つの液体循環流路を有している。１つの例によれば、前記流体コネクタは、前記空間を形成する少なくとも２つの液体循環流路を有しており、ワイパーの両側上の窓部へ液体を噴射するようになっている。
【００２２】
また、本発明は、自動車のためのワイピング設備の液体供給および／または分配システムであって、前記に挙げられた構成要素のような少なくとも１つの構成要素を備えたことを特徴とするシステムをカバーする。したがって、本発明は、特に、タンク、結合装置、または液体コネクタのような熱伝導性材料から形成された単一の構成要素を備えた液体供給および／または分配システムをカバーする。
【００２３】
また、本発明は、加熱要素を有する液体伝送および加熱チューブおよびダクトと、タンク、ポンプ、流体継ぎ手、結合装置、および流体コネクタを含む熱伝導性樹脂材料から形成された複数の構成要素と、を備えた供給および／または分配システムをカバーする、ということは言うまでも無い。
【００２４】
本発明による１つの主要な利点は、前記空間の周縁全体が熱量を伝送する壁部によって形成されているため、氷が形成される冷却領域をより効果的に加熱することの可能性にある。
【００２５】
別の利点は、この構成要素の加熱は液体を含有する前記空間全体により良く分配されるため、この構成要素の加熱を保証するために必要とされる電力を低減することの可能性にある。
【００２６】
本発明の他の特徴、詳細、および利点は、図面との関連で示唆として以下に与えられる説明を読むことで、より明確に現れるであろう。
【図面の簡単な説明】
【００２７】
【図１】図１は、本発明による少なくとも１つの構成要素を有する、液体供給および／または分配システムおよびワイピング設備の概略図である。
【図２】図２は、本発明による結合装置に設置された支持部を示す斜視図である。
【図３】図３は、ポンプの形状における、本発明による構成要素の斜視図である。
【図４】図４は、流体継ぎ手の形状における、本発明による構成要素を示す斜視図である。
【図５】図５は、タンクの形状における、本発明による構成要素の斜視図である。
【図６】図６は、流体コネクタの形状における、本発明による構成要素の斜視図である。
【発明を実施するための形態】
【００２８】
図１は、ワイピング設備２によって拭われることを意図された自動車の風防１を示す図である。ワイピング設備２は、例えば回転軸５にそれぞれリンクされた第１アーム３と第２アーム４とを有している。これら２つのアームは、統合された往復動作または反対の往復動作において風防１にわたって移動する。
【００２９】
第１アーム３および第２アーム４に対して軸５とは反対の端部には、その機能が風防の上に存在する水を視界を妨げない風防の領域へ押し戻すように風防を擦ることであるワイパー６がある。これらのワイパー６は、ワイパーが摩耗した時にワイパーの置換を可能にする取り外し可能なコネクタによって各アームにリンクされている。
【００３０】
ワイパーは、特に風防洗浄液を噴射するための、少なくとも１つの液体噴射ブーム（ｂｏｏｍ）を有している。有利には、１つ且つ同一のワイパーが、延伸する長手軸の両側に分けられた２つの噴射ブームを有している。これらのブームは、ワイパー６の長手軸と同軸に長手方向に延伸している。これらのブームは、ワイパーが矢印７によって示された第１の移動方向および矢印８によって示された第２の移動方向に移動する時、ワイパーの前方に風防洗浄液を噴射するように、ワイパーの長手軸に沿って、ワイパーの両側に配置されている。
【００３１】
また、この図１は、車両に備え付けられた風防洗浄液供給および／または分配システム９の存在を示している。この液体を噴射するためのブームにとって、風防洗浄液のストックと、当該ストックとブームとの間でこの液体を伝送するための手段と、このストックからブームまでこの液体を循環させるための手段と、を有することが必要である。
【００３２】
液体供給および／または分配システム９は、熱伝導性樹脂材料から形成された少なくとも１つの構成要素１０を有している。当該材料の樹脂の性質は、自動車分野の経済的制約に適合するコスト価格を維持しながら、例えば成型により、この構成要素を容易に作製することを可能にする。構成要素の熱伝導性の性質は、当該構成要素が熱源に接触している時、当該構成要素が再加熱され、当該構成要素内に広がる液体が凍結することを防止する温度でこの構成要素が維持される、ということを保証する。
【００３３】
したがって、本発明による構成要素１０は、その内部に液体が広がる少なくとも１つの空間を有しており、この空間は、壁部により縁取られている、または、画成されている。このことから、この空間が液体を保持するために使用可能であるが、また、液体供給および／または分配システム９が作動される時にこの空間が液体によって通過可能である、ということが理解されよう。この空間は、壁部によって画成された空洞を形成しており、壁部は、熱伝導性樹脂材料から形成されている。
【００３４】
この構成要素１０は、特に、以下のものであり得る、すなわち、
−  液体保持タンク１１、
−  供給および／または分配システム９において液体を循環させるためのポンプ１２、
−  ポンプ１２を液体伝送および加熱チューブ１８にリンクさせることを意図された流体継ぎ手１３、
−  ポンプ１２にリンクされたチューブ１８と、ワイパー１６にリンクされた液体伝送および加熱ダクト１５と、の間に設置された結合装置１４、
−  結合装置１４と、チューブ１８および／またはダクト１５の内側に埋め込まれた加熱要素ならびにワイパーに組み込まれた加熱要素を電気的に供給する１つまたは２つ以上の電気コネクタと、を機械的に結合するのに適切な支持部１６、
−  少なくとも液体供給および加熱ダクト１５とワイパーとの間に設置された流体コネクタ１７。
【００３５】
液体供給および／または分配システム９は、チューブ１８と、ダクト１５と、を有している。チューブ１８は、ポンプ１２を結合装置１４にリンクする。ダクト１５は、ワイパーのワイパーアームへの固定において、結合装置１４を流体コネクタ１７にリンクする。
【００３６】
これら２つの液体伝送手段にとって、その内側で液体が循環可能である２つの流路１８９および２０を画成するものは、パイプ、例えば柔軟なパイプ、である。また、このチューブ１８またはこれらのダクト１５は、パイプの構成材料に埋め込まれることにより、あるいは、チューブまたはダクトに対して周囲において延びることにより、流路に沿って延びる加熱要素（図１において不図示）を有している。そのような加熱要素は、抵抗性要素であり、それは、例えば電流によって通過される時に熱量を発する２つの電線ストランドの形状をとる。
【００３７】
チューブ１８またはダクト１５のこの加熱要素は、そこから構成要素１０がエネルギーを引き出すとともに液体を含有するのに適切な空間全体に当該エネルギーを分散させる熱源の一例を形成する、ということに注意されよう。
【００３８】
その代わりに、またはこの第１の変形例の熱源を補完するものとして、構成要素は、特に、各構成要素に充てられるとともにチューブ１８またはダクト１５のために使用されるものとは異なる熱源を有することが可能であり、構成要素１０の熱伝導性樹脂材料は、専用の熱源によって生成された熱量を流出させることが可能である。
【００３９】
図２は、本発明による１つまたは２つ以上の構成要素の例示的な実施形態を示している。
【００４０】
この構成要素は、特に、第１結合装置１４ａである。第１結合装置１４ａは、その内部で広がる液体が第１の入口２１に連通している空間５９をシールする壁部５８によって画成されている。第１の入口２１は、チューブ１８の第１の構成流路１９の一端部を受けており、第１の入口２１は、この第１の流路に貫入している。また、この空間は、第１ダクト１５ａの第１パイプ５５および第２ダクト１５ｂの第１パイプ６７にそれぞれ結合された第１の出口２３および第２の出口２４と連通しており、第１ダクト１５ａおよび第２ダクト１５ｂは、ワイパーへの液体を伝送するとともに加熱することを意図されている。
【００４１】
有利には、第１の結合装置１４ａと同一に製造された、第２の結合装置１４ｂが設けられている。第２の結合装置１４ｂの内側の空間は、第２の入口２２と連通している。第２の入口２２は、チューブ１８の第１の流路１９と一緒に第２の構造流路の一端部を受けており、第２の入口２２は、第２の流路に貫入している。また、この空間は、第１ダクト１５ａの第２パイプ５８および第２ダクト１５ｂの第２パイプ６９にそれぞれ結合された第３の出口２５および第４の出口２６と連通している。
【００４２】
本発明の一変形例によれば、第１の結合装置１４ａは、第２の結合装置１４ｂをまたいでいる。第２の結合装置１４ｂに機械的にリンクされているけれど、第１の結合装置１４ａは、第２の結合装置１４ｂとは異なる部分であることが可能である。それらは、固定要素によって、特に支持部１６によってまたは支持部１６とは異なる部分によって、互いに機械的に結合可能である。
【００４３】
本発明によれば、第１結合装置１４ａおよび／または第２結合装置１４ｂを作製するために使用される材料は、樹脂且つ熱伝導性であり、第１ダクト１５ａおよび第２ダクト１５ｂに存在する加熱要素２７および／または２８によって生成される熱量を流出させる。同様に、チューブ１８の内部または周りに延びる加熱要素２９は、これらの結合装置の内部空間における氷の形成を防止するために結合装置によって有効に使われる熱源を形成する。
【００４４】
第１の結合装置１４ａおよび／または第２の結合装置１４ｂは、それぞれ、前記空間に、すなわちその入口およびその出口の間に、配置された逆止弁を有している。そのような弁は、供給および／または分配システムが使用されない時に、第１流路および第２流路６６〜６９がタンクに流入することを防止する。したがって、ダクト１５ａおよび／または１５ｂが満たされることを待たずに、風防洗浄機能の迅速な利用可能性が保証される。
【００４５】
代わりのまたは補完する変形例によれば、構成要素１０は、熱伝導性樹脂から形成された支持部１６によって製造される。熱伝導性に加えて、この支持部１６は、前述された結合装置のための、および、少なくとも１つの電気コネクタのための、機械的な固定機能を有する。
【００４６】
一変形例によれば、熱源は、例えば支持部１６の下に配置されるとともにそれに接触している、専用の源３０により実装可能である。その変わりにまたは補完するものとして、熱源は、加熱要素２７、２８または２９によって実装可能であり、ストランドの経路は、支持部１６に接触する少なくとも１つの加熱要素のために整理される。
【００４７】
支持部１６は、その内部に結合装置１４ａおよび１４ｂが収容される第１空洞３１を有しており、結合装置１４ａおよび１４ｂは、爪部３２によって支持部１６上に保持される。また、支持部１６は、その内部に第１電気コネクタ３４が収容される第２空洞３３と、その内部に第２電気コネクタ３６が導入される第３空洞３５と、を有している。
【００４８】
支持部１６は、各電気コネクタのために、電気コネクタのための固定装置６４を有している。支持部１６は、例えば、第２空洞３３内または第３空洞３５内に閉じ込められた各電気コネクタ３４、３６を保持する支持部１６と同じ材料から形成されたフックである。実例として、固定手段６４は、４つのフックを有している。
【００４９】
これらのコネクタの各々は、４つの経路を有しており、これらの経路の２つは、ケーブル７０を介してワイパー上に導入された抵抗性加熱要素を供給することを意図されており、その他の２つの経路は、第１ダクト１５ａまたは第２ダクト１５ｂ内で延びる加熱要素２７または２８を電気的に供給する。
【００５０】
本発明の一変形例によれば、支持部１６および結合装置１４ａ、１４ｂは、１つ且つ同一の部分を形成している。このことから、支持部１６および結合装置１４ａ、１４ｂが同一材料から形成されているとともに１つ且つ同一の成型作業の間に作製される、ということが理解されよう。したがって、これら２つの部分は、単一ピースの全体を形成している。
【００５１】
図３は、本発明による構成要素１０の一変形を示している。この構成要素は、ここでは、その機能が供給および／または分配システムにおける液体の循環を保証することであるポンプ１２の形状をとっている。
【００５２】
このポンプ１２は、電気コネクタ３８によって供給される電気モータを収容するチューブ状本体３７を有している。また、この本体３７は、タービンを収容するとともに、流体分配器３９で終端しており、流体分配器３９は、第１出口４０および第２出口４１を有している。本発明による構成要素の熱伝導性壁部は、ここでは、少なくとも、チューブ状分配器３９の壁部６０によって、タービンを取り囲むチューブ状本体３７の第１部分６１によって、および場合によっては電気モータを取り囲むチューブ状本体３７の第２部分６２によって、形成されている。その部分にとって、液体を受ける空間は、液体がポンプ１２内で広がる領域６３によって形成されており、この空間は、タービンを取り囲む第１部分６１まで、および／または、流体分配器３９の内側に、延びている。
【００５３】
したがって、前記本体３７の少なくとも一部分およびポンプの流体分配器３９は、熱伝導性樹脂で作製されており、それは、当該本体３７または分配器３９内に存在する液体を解凍し、この流体分配器３９内に存在する液体が例えばポンプ１２を取り囲む温度が負になる時に凍結することを防止する、ということを可能にする。
【００５４】
ここではまた、熱源は、符号３０が付された専用の源であり得るが、この源は、有利には、液体伝送および加熱チューブ１８と協働する加熱要素２９によって提供され得る。
【００５５】
図４は、構成要素１０の別の変形例の実施形態を図示している。構成要素１０は、ポンプ４０または４１の出口の一方または他方と、液体伝送および加熱チューブ１８の構成流路１９または２０と、の間における流体リンクを保証する流体継ぎ手１３の形状をとる。
【００５６】
流体継ぎ手１３は、その内部で液体が循環する空間４４を取り囲む壁部４３によって形成されている。流体継ぎ手は、特に直角における方向に延伸する２つの部分を有しており、第１部分は、チューブ１８の少なくとも１つの流路１９、２０内に装着されており、第２部分は、その上に当該第２部分が取り付けられるポンプの出口をカバーする壁部４３によって形成されている。明らかに、流体継ぎ手の２つの部分は、１つ且つ同一の軸上に揃えられ得る。
【００５７】
そのような流体継ぎ手は、熱伝導性樹脂材料から作製されている。専用の熱源３０が、流体継ぎ手と物理的に接触可能であるが、この源は、有利には、液体伝送および加熱チューブと協働する加熱要素２９によって製造可能である。そのような加熱要素２９は、流体継ぎ手１３に熱量を供給するようなやり方で、流体継ぎ手１３に取り付けられている。この図では、加熱要素２９が、流体継ぎ手の前記部分の少なくとも一方の周り、および、特に壁部４３の周りに、巻かれている、ということが見られ得る。
【００５８】
最後に、この流体継ぎ手１３は、ポンプの第１出口または第２出口によって形成された端部ピース上の迅速な接続手段を有している、ということに注意されよう。
【００５９】
図５は、構成要素１０が風防洗浄液保持タンク１１の形状をとる一変形における構成要素１０を示している。そのような場合、壁部４５は、その内部で液体がその使用に鑑みて保持または保存される空間４６を規定している。
【００６０】
そのようなタンク１１は、前記空間４６を液体で満たすための開口部４７を有している。この開口部４７は、ストッパー４８によってシールされている。また、このタンクは、特にネジを介して、車両にタンクを機械的に固定するのに適切な、少なくとも１つの固定装置４９を有している。
【００６１】
また、タンク１１は、供給および／または分配システムにおいて液体を循環させるためのポンプを受けるのに適切な第１穴部５０を有している。タンクは、特に車両のヘッドライト上または車両の後部窓上へ窓洗浄液を噴射するために使用される第２ポンプを受けることを意図された第２穴部５１を有している。これらの穴部の各々の延伸部には、前述されたポンプの本体を受ける凹部が存在する。
【００６２】
専用の熱源３０は、特にタンク１１の壁部４５の外側表面上を延びる抵抗性および加熱トラックの形状で、この壁部４５と物理的に接触可能である。その代わりにまたは補完するものとして、この熱源は、液体伝送および加熱チューブ１８から出ている加熱要素２９によって実装可能である。
【００６３】
タンク１１の壁部４５は、熱伝導性樹脂材料から作製または成型されており、それは、熱源によって生成される熱量を空間４６の周りに均一に分配して、これにより、タンク内における氷の形成を防止することを可能にする。
【００６４】
また、図６は、本発明による構成要素の別の変形例の実施形態を示している。構成要素は、ワイパーアームとワイパーとの間のリンクに設置するのに適切な流体コネクタ１７の形状をとっている。したがって、ワイピングシステムのために、２つの流体コネクタが存在し、各々がワイパーアームとワイパーとにより形成されるペアリングに充てられている。
【００６５】
そのようなコネクタは、その内部で液体が広がることが可能または循環可能である第１空間および第２空間を画成する壁部５２を有している。これらは、ワイパーアームに充てられた第１ダクト１５ａ、１５ｂとワイパーに固定的に取り付けられる取付部分との間で液体を導くことに対して責任がある参照符号５３および５４を付された流路である。
【００６６】
また、流体コネクタ１７は、流路５３および５４を画成する壁部５２の間をそれぞれ延伸する第１ブリッジ５５および第２ブリッジ５６を有している。
【００６７】
流体コネクタ１７の構成材料は、熱伝導性樹脂であり、それは、熱源によって生成された熱量を流出させることを可能にする。例示的な実施形態によれば、そのような熱源は、ワイパーアームに固定的に取り付けられた第１ダクト１５ａ内を延びる加熱要素２７によって実装されている。この加熱要素は、特に流体コネクタ１７の壁部５２上に形成された平面によって形成された接触領域６５において流体コネクタ１７上に物理的に支持されている。
【００６８】
加熱要素は、接触領域６５において、第１ダクト１５ａ、１５ｂとは逆の流路の一方の一端部まで、壁部５２上を延びていて、第１ブリッジ５５上を延びることにより他方の流路まで通り過ぎている。そして、加熱要素２７を形成する抵抗性ストランドは、第１ダクト１５ａ、１５ｂとは逆の第２流路の端部に向けられている。したがって、抵抗性コネクタ１７が２つの流路５３および５４によって形成された空間に分配する熱量の供給が、保証される。
【００６９】
流体コネクタ１７は、特に流体コネクタ１７と同じ材料で形成された、ワイパーに組み込まれた加熱装置を供給することを意図された電気コネクタの受け手段を有し得る、ということに注意されよう。これは、例えば、その内部で電気コネクタが延伸する容積を画成するループ（ｌｏｏｐ）またはフープ（ｈｏｏｐ）である。
【００７０】
例示的な実施形態によれば、構成要素１０上を延びる加熱要素２７は、樹脂５７によってそこに固定的に取り付けられたまま保たれており、樹脂５７は、特に接触領域６５に沿って、流体コネクタの上面にわたって延伸している。
【００７１】
そのような樹脂は、熱源と本発明による構成要素１０との間の物理的な接触を保証するとともに加熱要素を外部の衝撃から保護して、車両のユーザが構成要素１０に触れることにより火傷することを防止する。
【００７２】
前述された変形例による構成要素を作製するために使用される樹脂材料は、その熱拡散率が０．０００１９ｍ２／ｓを超える時に熱伝導性であると考えられる。例えば、そのような樹脂材料は、例えばナノファイバーで帯電された、荷電性ポリエチレンである。
【００７３】
別の例によれば、前記材料は、以下のものである、すなわち、
−  少なくとも０．０００１９ｍ２／ｓに等しい熱拡散率を有する、特に４０％までの、グラスファイバーで帯電されたフェニレンポリ硫化物（ＰＰＳ  ＦＶ  ４０）、
−  少なくとも０．０００２０ｍ２／ｓに等しい熱拡散率を有するポリオキシメチレン、
−  少なくとも０．０００１９ｍ２／ｓに等しい熱拡散率を有する、特に４０％までの、グラスファイバーで帯電され、且つ、セラミックスで帯電されたフェニレンポリ硫化物（ＰＰＳ）、
−  少なくとも０．０００３３ｍ２／ｓに等しい熱拡散率を有するポリエチレンイミン（ＰＥＩ）、
−  少なくとも０．０００３７ｍ２／ｓに等しい熱拡散率を有する長繊維で帯電されたフェニレンポリ硫化物（ＰＰＳ）、
−  少なくとも０．０００５２ｍ２／ｓに等しい熱拡散率を有する６５％の無機電荷を有するフェニレンポリ硫化物（ＰＰＳ  Ｍ６５）。
【図１】
2015500769.tif 000003
【図２】
2015500769.tif 000004
【図３】
2015500769.tif 000005
【図４】
2015500769.tif 000006
【図５】
2015500769.tif 000007
【図６】
2015500769.tif 000008
【国際調査報告】
2015500769.tif 000009
2015500769.tif 000010
2015500769.tif 000011
2015500769.tif 000012
2015500769.tif 000013
2015500769.tif 000014